(57)【特許請求の範囲】
【請求項１】
スキンプリッカ用ランセットであって、
針、および
前記針のまわりにプラスチック本体を含み、該プラスチック本体がキャップと一体成形されており、該キャップが該プラスチック本体に対して分離可能になっており、
前記本体と前記キャップは前記分離可能領域を介して一体成形で連結され、
前記キャップは細長いステムを有し、該ステムは前記針の方向と整列するとともに、前記針の尖端を包囲する端部を有し、
前記針の尖端は前記キャップが前記本体から分離除去されるときに露出され、
前記細長いステムは両端の中間に弱化領域を有し、それにより所定レベルを越える前記キャップに対する長手方向の圧力が前記ステムを座屈させる、スキンプリッカ用ランセット。
【請求項２】
前記弱化領域は前記ステムに刻まれた少なくとも１つの切欠きにより形成されている、請求項１に記載のランセット。
【請求項３】
前記切欠きは前記ステムの両側にありかつ前記ステムの長手方向で相互にオフセットしている、請求項２に記載のランセット。
【請求項４】
前記弱化領域は前記ステムを横切る孔により形成されている、請求項１に記載のランセット。
【発明の詳細な説明】
【技術分野】
【０００１】
本発明はスキンプリッカ（皮膚穿刺具）に関する。
【背景技術】
【０００２】
本発明はEP-B-0634000に記載のスキンプリッカの改良であり、かつ一旦発射されるとランセットが針尖端の孔を介して押し戻されず、再コック（cock)されず、かつ再発射されないことを確実にすることに関する。
【０００３】
【特許文献１】EP-B-0634000（日本国特許番号第２６３５８２３号）
【発明の開示】
【発明が解決しようとする課題】
【０００４】
発明が解決しようとする課題は、一旦発射されるとランセットが針尖端の孔を介して押し戻されず、再コック（cock)されず、かつ再発射されないことを確実にすることにある。
【課題を解決するための手段】
【０００５】
本発明の１つの特徴によれば使い捨てプリッカが提供され、前記プリッカはバネ負荷された長手移動自在のランセットを担持した細長いハウジングを含み、前記ランセットの先端部は、通常、前記ハウジング内にある。前記プリッカは、更に、バネ手段を励起する完全収縮位置に前記ランセットを保持しかつ前記ランセットの先端部を前記ハウジングの前方端部から突出させる瞬間位置に付かせるために前記ランセットを作動自在に解除または発射するトリガ機構を含み、かつ前記ランセットから後方へ前記ランセットの本体と平行に離隔して延びるバネフィンガを含む反復使用を阻止するための手段を含み、かつ前記ランセットの前進運動時に前記バネフィンガの拡大先端部がスナップ係止する当接部を前記ハウジングの内壁上に含み、発射後に所定力より大きな力により前記ランセットを押し戻す試みによって前記バネフィンガは、前記当接部に前記拡大先端部が当接し、前記ハウジングの内壁と前記ランセットの本体との間に拘束されることにより座屈してＶ字形の尖部が後方を指す楔を形成する。
【０００６】
前記トリガ機構は、本願に全内容が参考として組み込まれるＥＰ−Ｂ−０６３４０００（日本国特許番号第２６３５８２３号）に記載のトリガ機構を採用している。
【０００７】
好適には、前記ランセットは両側に対称的な２つのフィンガを有し、かつ前記ハウジングは２つの対峙する当接壁を有し、前記当接壁は内方かつ前方に尖端を有する顎部として形成されている。
【０００８】
一形態として、前記バネフィンガは前記ランセットの本体から外方に傾斜すると共に後方へ延びている。
【０００９】
選択的に、前記バネフィンガは前記ランセットの本体の隣接部から概ね平行に離隔するが外方へ拡がった先端部を有する。
【００１０】
針の尖端部は、前記フィンガの先端部が前記当接壁の直ぐ後に付く初期予備発射位置から完全収縮位置へ前記ランセットを押し戻すことのできる細長いキャップにより当初は保護されていてよい。前記キャップの再使用を阻止するために、発射後に前記ランセットを前記当接壁によって保持する位置を越えて前記ランセットを押し戻す付勢に対して、前記細長いキャップは、前記キャップが前記ランセットを前記初期予備発射位置から収縮させるために使用されるときには有意義でない弱部を有する。この弱部は、発射後に前記ランセットを押し戻すために使用されるとき等のように過剰な軸方向圧縮を前記キャップが受ける場合には前記キャップを変形させる。前記弱部は前記細長いキャップの断面の局部的減少により適宜形成される。
【００１１】
前記弱部を有するキャップは前記ランセットおよび前記プリッカによる制限を受けない。
【００１２】
従って、本発明の他の特徴によれば、本発明はスキンプリッカ用ランセットを提供する。前記ランセットは、針、および前記針のまわりに分離可能キャップと一体成形されたプラスチック本体を含み、前記本体と前記キャップは分離可能領域を介して連結され、前記キャップは前記針および前記針の尖端を包囲する端部と整列する細長いステムを有し、前記針の尖端は前記キャップが除去されるときに露出され、前記ステムは両端の中間に弱化領域を有し、それにより所定レベルを越える前記キャップに対して長手方向に加わる圧力による長手方向の圧縮が前記ステムを座屈させる。
【００１３】
前記弱化領域は前記ステムに刻まれた少なくとも１つの切欠きにより適宜形成され、かつ好適には前記切欠きは両側にありかつ前記ステムの長手方向で相互にオフセットしている。他の可能性は、前記弱化領域は前記ステムを横切る孔により形成されているか、または前記ステムの狭い接続部により形成されている。
【発明を実施するための最良の形態】
【００１４】
本発明のより良い理解のために、添付図面を参照して例示として幾つかの実施形態を以下に説明する。
【００１５】
図１および２の装置はランセット２を保持するために長手方向のスリット部で結合された二分割部から成るバレル１を有する。ランセット２は針３を包囲するプラスチック本体を有し、針３の尖端はプラスチック本体と一体成形され、捩じって取り除くことのできる細長いステム４を有するキャップ内に最初は埋設されている。細長いステム４を有するキャップはEP-B-0634000と同一目的に寄与する。ランセット２を前方へ駆動するバネ、およびそれを解放するトリガは説明を簡単にするために図１には示されていない。ただし、図５および６にEP-B-0634000に開示されたトリガに対応するトリガが一部簡単に示されている（EP-B-0634000の図面を参照）。
【００１６】
ランセット本体はバレルの前方部に回転不可能に案内される大きな頭部５を有する。軸部（stem)６が頭部から後方へ延びバネの先端を位置決めする成形部７で終端する。軸部６の両側にはフィンガ８が頭部５と軸部６との間の移行部で肩部の根元から外方かつ後方へ延びている。フィンガ８は拡大部９で終端している。フィンガ８はプラスチック本体と一体成形されており、弾力的可撓性を有しかつバネとして作用する。
【００１７】
バレル１の内部には、内方かつ前方に傾斜した顎部（barb)１１で終端する漸次的傾斜面１０が両側で長手の略中心から後方に向かって拡がっている。
【００１８】
初期において、拡大部９はバネ弛緩により顎部１１の背後にある。細長いステム４を有するキャップが押圧されてランセットを収縮し、かつそこでその装置がコック（cock）する。細長いステム４を有するキャップは捩じって取り外されかつ装置が付勢されて発射する。針の尖端がバレルの前方端部から瞬間的に表れる直前で、拡大部９が顎部１１にスナップ係止するときに、ネジのスラストがランセットを前方へ付勢し、かつフィンガ８が内方へ撓曲する。過剰に伸張したバネが収縮するときに、拡大部９は傾斜面１０に沿って摺動して顎部１１により形成されたフックと係合する。ラチエット機構が効果的に作用する。
【００１９】
図１に示された位置で、細長いステム４を有するキャップはその装置をコック位置へ回復させるために押し戻される。
【００２０】
しかし、キャップが更に押し戻される場合には、ランセットの主本体が少なくとも初期移動し、フィンガ８が顎部１１に捕捉される。そこで、フィンガは、図２に示されたように、顎部１１と軸部６との間に挟まれ、捩じれて即ち座屈してＶ字の尖部が後方を指すＶ字形の楔を形成する。拡大部９はフィンガ８の両端部が顎部から外れないことを確実にする。
【００２１】
このようにして、ランセットはコック位置に達する前に拘束されかつ不動になり、再発射を阻止される。
【００２２】
図３および４の装置は図１および２の装置と多くの点で類似しており、対応する部品は同様に示されている。
【００２３】
大きな相違点は参照番号１８で示されたバネフィンガにある。バネフィンガ１８は頭部５と軸部６間の移行部で肩部の先端から後方へ延び、かつ通常は軸部６から平行に離隔している。バネフィンガ１８は外方に拡がった先端部１９で終端する。
【００２４】
ラチエット動作は上述の通りである。ランセットが前進運動の終点に向けて発射されると、先端部１９は顎部１１へスナップ係止し、瞬間的にフィンガ１８が内方へ撓曲する。ランセットの跳ね返りにより先端部１９は顎部１１と緩く係合する。ランセット上へのなんらかの後方力がその係合を促進し、かつランセットの後方運動がフィンガ１８により抵抗を受け、フィンガ１８は長手方向の軽い圧縮下で直線を維持する。しかしながら、この後方力が一旦一定レベルに達すると、図４に点線で示されたように、フィンガ１８の主な長手の外側で顎部１１と先端部１９との係合によってフィンガ１８は曲折を開始し、かつフィンガ１８は外方でなく内方へ撓曲する。先端部１９は顎部１１の鋭角へ向かって外方かつ後方へ突進し、かつ従って、顎部１１を飛び越さないようになる。更に力が加わるとフィンガ１８が座屈して上記実施形態と同様に楔を形成する。
【００２５】
これらの装置は必ず小型装置であり、かつ顎部１１およびそれと係合するフィンガ１８の寸法は同様に小型である。適度な後方力が発射後のランセットに加わる場合には顎部１１およびフィンガ１８は上述のごとく作動するが、実際に実行される押圧は顎部１１の係合を解除しかつ装置を再コックさせる。この押圧を加えるための自明器具は使用直前に取り外されているがおそらく廃棄されていない細長いステム４を有するキャップである。
【００２６】
更に安全な方法として、上記実施形態には適用されていないが、細長いステム４を有するキャップは発射後のランセットを収縮させるためには使用不可に構成されてよい。図５および６の例において、２つの切欠き２０および２１がジグザグ形態でキャップの細長いステム４の長手中心まわりの僅かに異なる軸位置で両側に形成されている。細長いステム４を有するキャップはバネに対して装置の初期作動に充分に剛性であるが、ランセットが顎部１１により保持される場合には、顎部１１またはフィンガ８または１８の先端部が崩れる前に図６に示されたように、折れ曲がるものである。
【００２７】
キャップを弱化させる他の好適方法は、単純には、長手中心まわりでキャップを横断する孔を形成する方法である。選択的に、単一切欠きで充分であり、また首部を有する形態であってもよい。
【００２８】
上述の実施形態において、ランセットはバネフィンガ８または１８に対して両側に対称的である。好適には、単一フィンガで充分なようにランセットを構成しかつ案内することが可能であればよい。
【図面の簡単な説明】
【００２９】
【図１】ランセット発射後のスキンプリッカの軸断面図である。
【図２】発射後にランセットを収縮させる試みを示すスキンプリッカの軸断面図である。
【図３】ランセット発射前の他のスキンプリッカの軸断面図である。
【図４】発射後の図３のランセットを示すスキンプリッカの軸断面図である。
【図５】針尖端用の安全キャップを有するスキンプリッカの側面図である。
【図６】発射されたランセットを収縮させる試みに使用されるキャップを示す側面図である。
【符号の説明】
【００３０】
１    バレル
２    ランセット
３    針
４    キャップの細長いステム
５    頭部
６    軸部
７    成形部
８，１８    フィンガ
９    拡大部
１０    傾斜面
１１    顎部
１９    先端部
【図１】
0004819747.tif 000002
【図２】
0004819747.tif 000003
【図３】
0004819747.tif 000004
【図４】
0004819747.tif 000005
【図５】
0004819747.tif 000006
【図６】
0004819747.tif 000007